(57)【要約】【課題】複数の写真フィルムから読み取った複数の画像データに基づく注文に際して、複数の画像データが適切な順番で指定された生産物を作成することができる注文シート及び該注文シートを用いた注文方法の提供。【解決手段】未現像フィルム又は現像済みフィルム又はその双方から読み取った複数の画像データに基づいて注文を行うための注文シートに、画像選択欄１８に加えて、各々のフィルムから読み取った複数の画像データに基づく画像群を区分するためのフィルム境界線２０と、フィルムの選択順序を指示するためのフィルム選択順指示欄１６と、各々の画像群の画像の選択順序を指示するための画像選択順指示欄１７とを備えるものであり、複数の画像データの中から選択された画像データを適切な順番で選択させることができるため、利用価値の高い生産物を作成することができる。【選択図】図５
2007152714.tif 000002
【特許請求の範囲】
【請求項１】
複数のフィルムから読み取った複数の画像データに基づく画像が表示され、各々の前記画像に対して該画像を選択するか否かを指示するための画像選択欄を備える注文シートであって、
各々の前記フィルムから読み取った画像データに基づく画像群を区分するためのフィルム境界線と、
各々の前記フィルムの選択順序を指示するためのフィルム選択順指示欄と、
各々の前記画像群における画像の選択順序を指示するための画像選択順指示欄と、を少なくとも備えることを特徴とする注文シート。
【請求項２】
更に、前記注文シートと前記複数の画像データを格納するフォルダとを対応付ける情報が記録されたバーコードを備えることを特徴とする請求項１記載の注文シート。
【請求項３】
前記注文シートは、前記複数の画像データに基づく画像をスライド表示するためのスライドショーデータを作成する注文、又は、前記複数の画像データに基づく画像をアルバム表示するためのアルバムデータを作成する注文、又は、前記複数の画像データに基づく画像が配列表示されるプリントを作成する注文のいずれかに用いられることを特徴とする請求項１又は２に記載の注文シート。
【請求項４】
注文シートを用いた注文方法であって、
複数のフィルムから複数の画像データを読み取るステップと、
各々の前記フィルムから読み取った画像データに基づく画像群を区分するためのフィルム境界線と、各々の前記フィルムの選択順序を指示するためのフィルム選択順指示欄と、各々の前記画像群における画像の選択順序を指示するための画像選択順指示欄と、各々の前記画像を選択するか否かを指示するための画像選択欄とを少なくとも備える前記注文シートに、前記複数の画像データに基づく画像を表示してユーザに提供するステップと、
記入済み注文シートを読み取るステップと、
前記複数の画像データの中から選択された画像データを、前記記入済み注文シートの前記フィルム選択順指示欄及び前記画像選択欄の指示に従って並び替えるステップと、を少なくとも有することを特徴とする注文方法。
【請求項５】
前記注文シートに、更に、前記注文シートと前記複数の画像データを格納するフォルダとを対応付ける情報が記録されたバーコードを設けることを特徴とする請求項４記載の注文方法。
【請求項６】
前記注文シートを用いて、前記複数の画像データに基づく画像をスライド表示するためのスライドショーデータを作成、又は、前記複数の画像データに基づく画像をアルバム表示するためのアルバムデータを作成、又は、前記複数の画像データに基づく画像が配列表示されるプリントを作成することを特徴とする請求項４又は５に記載の注文方法。
【発明の詳細な説明】
【技術分野】
【０００１】
本発明は、注文シート及び注文方法に関し、特に、複数のフィルムに記録された複数の画像データに基づく注文を処理するための注文シート及び該注文シートを用いた注文方法に関する。
【背景技術】
【０００２】
近年、写真画像に関する様々なサービスが提供されている。例えば、ラボ等の写真店やコンビニエンスストア等の注文店にユーザが撮影したフィルムを持ち込むと、写真店では、フィルムを現像した後、スキャナ等で画像情報を読み取り、画像データとしてＣＤ−Ｒ、ＤＶＤ−Ｒ等の記録媒体に書き込む処理が行われる（例えば、下記特許文献１参照）。
【０００３】
また、フィルムから読み取った画像データを、ＤＶＤプレーヤやＤＶＤレコーダ、ゲーム機のような家電機器でスライドショーとして再生するためのＶｉｄｅｏ−ＣＤ形式やＤＶＤ−Ｖｉｄｅｏ形式のデータ（以下、家電機器で再生するためのスライドショー用のデータを家電機器用データと呼ぶ。）を生成し、元の画像データやアプリケーションと共に生成した家電機器用データをＣＤ−Ｒ、ＤＶＤ−Ｒなどの記録媒体に書き込む処理も行われる。
【０００４】
【特許文献１】特開２００５−１０５６５号公報（第５−１１頁、第１図）
【発明の開示】
【発明が解決しようとする課題】
【０００５】
ここで、ユーザが写真店や注文店にフィルムを提供すると、写真店や注文店では、図１３に示すように、フィルムから読み取った画像データに基づく画像１９が一覧表示された注文シート２３を作成してユーザに提供する。そして、ユーザはこの注文シート２３に表示された画像１９を見ながらスライドショーに利用する画像を選択し、画像選択欄１８に所定のマークを記入して写真店や注文店に提示すると、写真店や注文店では、選択された画像に基づいてスライドショーを作成する。
【０００６】
このスライドショーは、複数の画像を所定の順番（通常は撮影日時順）で表示することによって見栄えがよくなるものであり、デジタルカメラで撮影して得られた画像データを用いる場合には、画像データのヘッダ情報などから読み取った撮影日時に基づいて画像データを並び替えることができるが、フィルムから読み取った画像データを用いる場合は、画像データには撮影日時が記録されておらず、撮影日時に基づいて画像データを並び替えることはできないため、通常はスキャナで読み取った順番、すなわち、注文シート２３に表示される順番で画像が表示されるスライドショーを作成することになる。
【０００７】
そのため、例えば、複数のフィルムから読み取った複数の画像データを利用する場合に、撮影日時の順番とスキャナで読み取るフィルムの順番とが異なると、読み取った複数の画像データに基づく画像を撮影日時順で表示することができず、スライドショーの見栄えが著しく悪くなってしまうという問題が生じる。
【０００８】
また、フィルムには、撮影の毎にフィルムをパトローネから引き出し、全ての撮影を終了した時点でパトローネにフィルムを巻き込むタイプ（第１のタイプと呼ぶ。）と、一部のレンズ付きカメラのように、予めパトローネからフィルムを引き出しておき、撮影の毎にフィルムをパトローネに収納するタイプ（第２のタイプ）とがあり、スキャナでは一方のタイプ（通常は第１のタイプ）を基準にして画像データの読み取り順を設定するため、他方のタイプのフィルムでは画像データの読み取り順が逆になってしまい、他方のタイプのフィルムを使用する場合や双方のタイプのフィルムを混在させる場合には、同様に、スライドショーの見栄えが著しく悪くなってしまうという問題が生じる。
【０００９】
上記問題は、複数のフィルムから読み取った複数の画像データを利用してスライドショーを作成する場合に限らず、複数のフィルムから読み取った複数の画像データを一覧表示したり、アルバムプリントやインデックスプリントを作成する場合などにおいても同様に生じ、画面やプリントに表示される画像の順番と撮影日時などの所定の順番とが一致しないと、電子アルバムやプリントとしての価値を著しく損ねてしまう。
【００１０】
本発明は、上記問題点に鑑みてなされたものであって、その主たる目的は、複数の写真フィルムから読み取った複数の画像データに基づく注文に際して、複数の画像データが適切な順番で選択された利用価値の高い生産物を作成することができる注文シート及び該注文シートを用いた注文方法を提供することにある。
【課題を解決するための手段】
【００１１】
上記目的を達成するため、本発明の注文シートは、複数のフィルムから読み取った複数の画像データに基づく画像が表示され、各々の前記画像に対して該画像を選択するか否かを指示するための画像選択欄を備える注文シートであって、各々の前記フィルムから読み取った画像データに基づく画像群を区分するためのフィルム境界線と、各々の前記フィルムの選択順序を指示するためのフィルム選択順指示欄と、各々の前記画像群における画像の選択順序を指示するための画像選択順指示欄と、を少なくとも備えるものである。
【００１２】
本発明においては、更に、前記注文シートと前記複数の画像データを格納するフォルダとを対応付ける情報が記録されたバーコードを備える構成とすることができる。
【００１３】
また、本発明においては、前記注文シートは、前記複数の画像データに基づく画像をスライド表示するためのスライドショーデータを作成する注文、又は、前記複数の画像データに基づく画像をアルバム表示するためのアルバムデータを作成する注文、又は、前記複数の画像データに基づく画像が配列表示されるプリントを作成する注文のいずれかに用いられることが好ましい。
【００１４】
また、本発明の方法は、注文シートを用いた注文方法であって、複数のフィルムから複数の画像データを読み取るステップと、各々の前記フィルムから読み取った画像データに基づく画像群を区分するためのフィルム境界線と、各々の前記フィルムの選択順序を指示するためのフィルム選択順指示欄と、各々の前記画像群における画像の選択順序を指示するための画像選択順指示欄と、各々の前記画像を選択するか否かを指示するための画像選択欄とを少なくとも備える前記注文シートに、前記複数の画像データに基づく画像を表示してユーザに提供するステップと、記入済み注文シートを読み取るステップと、前記複数の画像データの中から選択された画像データを、前記記入済み注文シートの前記フィルム選択順指示欄及び前記画像選択欄の指示に従って並び替えるステップと、を少なくとも有するものである。
【００１５】
本発明においては、前記注文シートに、更に、前記注文シートと前記複数の画像データを格納するフォルダとを対応付ける情報が記録されたバーコードを設ける構成とすることができる。
【００１６】
また、本発明においては、前記注文シートを用いて、前記複数の画像データに基づく画像をスライド表示するためのスライドショーデータを作成、又は、前記複数の画像データに基づく画像をアルバム表示するためのアルバムデータを作成、又は、前記複数の画像データに基づく画像が配列表示されるプリントを作成することが好ましい。
【００１７】
このように、本発明の構成によれば、複数のフィルムから読み取った複数の画像データに基づく注文であっても、複数の画像データの中から選択された画像データを適切な順番で選択することができ、利用価値の高い生産物を作成することができる。
【発明の効果】
【００１８】
本発明の注文シート及び該注文シートを用いた注文方法によれば、複数のフィルムから読み取った複数の画像データに基づく注文であっても、複数の画像データの中から選択された画像データが適切な順番で選択された利用価値の高い生産物を作成することができる。
【００１９】
その理由は、ユーザに提供される注文シートには、各々のフィルムから読み取った画像データに基づく画像群を区分するためのフィルム境界線と、フィルムの選択順序を指示するためのフィルム選択順指示欄と、各々の画像群における画像の選択順序を指示するための画像選択順指示欄と、各々の画像を選択するか否かを指示するための画像選択欄とが設けられているため、画像選択欄とフィルム選択順指示欄と画像選択順指示欄とに記入するだけで、選択された画像データを適切な順番で選択させることができるからである。
【発明を実施するための最良の形態】
【００２０】
本発明は、その好ましい一実施の形態において、未現像フィルム又は現像済みフィルム又はその双方から読み取った複数の画像データに基づいて注文を行うための注文シートに、各々のフィルムから読み取った複数の画像データに基づく画像群を区分するためのフィルム境界線と、フィルムの選択順序を指示するためのフィルム選択順指示欄と、各々の画像群における画像の選択順序を指示するための画像選択順指示欄と、各々の画像を選択するか否かを指示するための画像選択欄とを少なくとも備えるものであり、画像選択欄とフィルム選択順指示欄と画像選択順指示欄とに記入することによって複数の画像データの順序を指示することができるため、複数の画像データが撮影日時順などで選択された利用価値の高い生産物（例えば、撮影日時順で画像が表示されるスライドショーや電子アルバム、アルバムプリントやインデックスプリントなど）を作成することができる。
【実施例】
【００２１】
上記した本発明の一実施の形態についてさらに詳細に説明すべく、本発明の一実施例に係る注文シート及び該注文シートを用いた注文方法について、図１乃至図１２を参照して説明する。図１は、本発明の一実施例に係る注文システムの構成及び注文の流れを模式的に示す図であり、図２は、注文処理装置の主要な手段を示すブロック図である。また、図３は、本実施例の注文シートを用いた注文手順を示すフローチャート図であり、図４乃至図７は、本実施例の注文シートの構成例を示す図である。また、図８及び図９は、記録媒体におけるデータの記録構造を示す図であり、図１０はＣＤ−Ｒの構造を模式的に示す図である。また、図１１は、スライドショーのスライド表示順を説明するための図であり、図１２は、コンピュータ機器の表示手段などに表示される画面構成例を示す図である。
【００２２】
図１に示すように、本実施例の注文システム１は、複数の未現像フィルム２ａ（パトローネに収納された状態の撮影済みフィルム）又は複数の現像済みフィルム２ｂ（所定の長さに切断されてシートに収納されたフィルム）又は未現像フィルム２ａ及び現像済みフィルム２ｂの双方（以下、これらを総称してフィルム２と呼ぶ。）を提供し、注文シート３を用いて注文を指示するユーザと、ユーザから提供された複数のフィルム２に基づいて注文シート３を作成してユーザに提供し、複数のフィルム２から読み取った複数の画像データ及び記入済み注文シート３ａに基づいて、スライドショーのデータを作成したり、記録媒体４に記録したり、アルバムプリントやインデックスプリントなどの写真プリントを作成するなどの注文の処理を行う注文処理装置５を備える注文店舗とからなる。
【００２３】
また、図２に示すように、本実施例の注文処理装置５は、未現像フィルム２ａを現像する現像手段６と、現像後のフィルム２をスキャンしてフィルム２に記録された画像情報を画像データとして読み取る画像情報読み取り手段７と、画像データに基づく画像を配列した注文シート３を作成し、該注文シート３をインクジェットプリンタなどの印刷手段９に印刷させる注文シート作成手段８と、記入済み注文シート３ａから注文情報（フィルム２の選択順序や画像の選択順序、画像の選択／非選択など）を読み取る注文情報読み取り手段１０と、注文情報に基づいて家電機器用データなどを生成するデータ生成手段１１と、フィルム２から読み取った画像データや生成した家電機器用データなどを記録媒体装填部１３に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体４に記録するデータ記録手段１２と、表示手段１４と、操作手段１５などを備えている。
【００２４】
次に、上記構成の注文処理装置５を用いて、複数のフィルム２から読み取った複数の画像データに基づく注文を処理する手順について、図３のフローチャート図を参照して説明する。なお、以下では、フィルム２に記録された写真画像をスライドショーとして表示するための家電機器用データが記録された記録媒体４を作成する場合を例にして説明する。
【００２５】
まず、ステップＳ１０１で、ユーザは、写真撮影を行った複数の未現像フィルム２ａ又は複数の現像済みフィルム２ｂ又はその双方を注文店舗に持ち込む。注文店舗では、未現像フィルム２ａがある場合は、ステップＳ１０２で、注文処理装置５の現像手段６を用いて未現像フィルム２ａを現像した後、ステップＳ１０３で、スキャナなどの画像情報読み取り手段７を用いて複数のフィルム２を任意の順番でスキャンし、フィルム２に記録された画像情報を読み取って任意の形式の画像データとして出力する。
【００２６】
次に、ステップＳ１０４で、注文店舗は、注文シート作成手段８を用いて、予め記憶されたテンプレートに複数のフィルム２から読み取った複数の画像データに基づく画像を嵌め込んで、図４に示すような注文シート３を作成し、インクジェットプリンタなどの印刷手段９を用いて注文シート３を印刷し、印刷した注文シート３をユーザに提供する。その際、注文シート３に配列した画像１９と該画像１９の元になる画像データとを対応付ける情報を管理データなどに記述して記憶しておく。なお、図４では、説明を容易にするために、画像１９の上部に番号（例えば、１−２は、１番目のフィルム２の２番目の画像１９を表している。）を表示している。
【００２７】
ここで、従来の注文シートは、図１３に示すように、複数のフィルム２（ここでは１〜３の３つのフィルム２）から読み取った複数の画像データ（ここでは１番のフィルム２の２１個の画像データと、２番のフィルム２の２４個の画像データと、３番のフィルム２の２０個の画像データ）に基づく画像１９が画像情報読み取り手段７で読み取った順番で表示され、各々の画像１９に対して該画像１９を選択するか否かを指示するための画像選択欄１８（各々の画像１９の下に設けられた欄）が設けられているだけであり、この注文シート２３を用いてスライドショーを作成する場合、選択された画像１９は注文シート２３に表示された順番で表示されるため、注文シート２３上の画像１９の表示順と撮影日時順などの所定の順序とが一致しない場合にはスライドショーの見栄えが著しく悪くなってしまうという問題があった。
【００２８】
そこで、本実施例の注文シート３では上記問題の発生を回避するために、画像選択欄１８に加えて、図４に示すように、第１に、各々のフィルム２から読み取った画像データに基づく画像群（ここでは１−１から１−２１の２１個の画像群、２−１から２−２４の２４個の画像群、３−１から３−２０の２０個の画像群）を区別するためのフィルム境界線２０を設けて、どの画像１９がどのフィルム２に属するのかを判別できるようにする。なお、現像済みフィルム２ｂに関しては、シートに収納された全フィルムを１つのフィルムとしてもよいし、切断された個々のフィルムを１つのフィルム２としてもよい。
【００２９】
また、第２に、各々のフィルム２の画像群に対して、フィルム２の選択の順序を指示するためのフィルム選択順指示欄１６を設けて、ユーザが指定した順番で各々のフィルム２の画像群が選択されるようにする。
【００３０】
また、第３に、各々のフィルム２の画像群に対して、画像を選択する方向（すなわち、先頭に表示された画像（例えば、１−１の画像）から選択するのか、末尾に表示された画像（例えば、１−２１の画像）から選択するのか）を指示するための画像選択順指示欄１７を設けて、撮影毎にパトローネからフィルムを引き出すタイプ（第１のタイプ）と撮影毎にパトローネにフィルムを収納するタイプ（第２のタイプ）のいずれであっても、ユーザが指定した方向で画像１９が選択されるようにする。
【００３１】
更に、必要に応じて、注文シート３とフォルダの名称とを対応付けるための情報が記録されたバーコード２１を設けて、注文シート３に表示された画像１９の基となる画像データを所定のフォルダに格納できるようにする。
【００３２】
なお、図４の構成は例示であり、画像１９の配列や大きさ、１つの注文シート３に記録するフィルム２の数、画像選択欄１８やフィルム選択順指示欄１６、画像選択順指示欄１７の構成や配置などは適宜変更することができる。例えば、図６に示すように、フィルム境界線２０をフィルム２毎の画像群に沿った形状にして、フィルム２毎の画像群の隙間を詰めて多数の画像１９が表示されるようにしてもよいし、図７（ａ）に示すように、各々のフィルム２の画像群に対応するフィルム選択順指示欄１６に選択の順番を示す数字を表示して所望の数字の枠を塗り潰すようにしてもよいし、図７（ｂ）に示すように、各々のフィルム２の画像群に対応する画像選択順指示欄１７に矢印を表示して所望の方向の枠をチェックするようにしてもよい。また、フィルム選択順指示欄１６や画像選択順指示欄１７を一カ所のまとめて表示してもよい。
【００３３】
次に、ステップＳ１０５で、ユーザは提供された注文シート３に表示された画像１９を閲覧して、スライドショーとして表示するための画像１９を選択し、選択した画像１９に対応する画像選択欄１８に所定のマークを記入する。また、フィルム境界線２０で区分けされた各々のフィルム２の画像群に対して、複数のフィルム２をどのような順番で選択するのかを指示する情報（例えば、図５のような１〜３の数字）をフィルム選択順指示欄１６に記入する。また、各々のフィルム２の画像群に対して、各々の画像１９をどのような順番で選択させるのかを指示する情報を画像選択順指示欄１６に記入する。例えば、先頭から順に選択させる場合は、先頭部分に設けた画像選択順指示欄１７に所定のマークを記入し、末尾から順に選択させる場合は、末尾部分に設けた画像選択順指示欄１７に所定のマークを記入する。
【００３４】
なお、画像選択欄１８や画像選択順指示欄１７などに記入するマークは、注文情報読み取り手段１０で読み取り可能な形態であればよく、マークシートのように該当する枠を塗りつぶすようにしてもよい。
【００３５】
そして、ユーザは画像選択欄１８やフィルム選択順指示欄１６、画像選択順指示欄１７などに所望の情報を記入した記入済み注文シート３ａを注文店舗に提供し、ステップＳ１０６で、注文店舗では、注文情報読み取り手段１０を用いて、画像１９の選択情報やフィルム２の選択順序、画像１９の選択順序などを読み取り、ステップＳ１０７で、予め記憶された対応付け情報（ステップＳ１０４で管理データに記述された対応付け情報）を参照して、選択された画像１９に対応する画像データを特定し、フィルム２の選択順序や画像１９の選択順序に従って特定した画像データを並び替える。また、必要に応じて、注文情報読み取り手段１０を用いてバーコード２１を読み取り、選択された画像データを格納するフォルダを特定する。
【００３６】
具体的には、図５の構成の場合は、１番目のフィルム２の選択順が１番で画像１９の選択順が先頭からであり、２番目のフィルム２の選択順が３番で画像１９の選択順が末尾からであり、３番目のフィルム２の選択順が２番で画像１９の選択順が先頭からであることから、画像データを、１−１、…、１−２１、３−２０、…、３−１６、２−１、…、２−１７の順番に並び替える。
【００３７】
次に、ステップＳ１０８で、データ生成手段１１を用いて、選択された画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のスライドショーデータ、動画データがＭＰＥＧ１又はＭＰＥＧ２の場合はＤＶＤ−Ｖｉｄｅｏ形式のスライドショーデータ）を生成（オーサリング）する。また、必要に応じて、画像データのファイル名を予め定められたルールに従ってリネームしたり、読み取った画像データのデータサイズを縮小したサムネイル画像データやスクリーンネイル画像データなどの縮小画像データを作成する。
【００３８】
次に、ステップＳ１０９で、記録媒体装填部１３に記録媒体４を装填する。この記録媒体４として市販されている任意の記録媒体を用いることができるが、特定の記録媒体に対してのみデータの記録が行われるようにしてもよく、その場合は、ステップＳ１１０で、記録媒体４の所定の領域に該記録媒体４を識別するための識別情報が記録されているかを調べ、識別情報が記録されている場合に特定の記録媒体４と判断する。この識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３９】
ここで、一般的な記録媒体４（ＣＤ−Ｒ）の構造について、図１０を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４０】
次に、データ記録手段１２を用いて記録媒体装填部１３に装填された記録媒体４に各種データを記録するが、その際、家電機器ではデータを読み込むことができる記録領域が限定されるため、家電機器用データを記録する場合は、ステップＳ１１１で、生成した家電機器用データを記録媒体４の論理アドレス領域の内周側に書き込み、必要に応じてセッションをクローズした後、ステップＳ１１２で、読み取った画像データや、必要に応じて縮小画像データ、アプリケーション、管理データなどのコンピュータ機器用データを記録媒体４の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４１】
上記手順で作成された記録媒体４のディレクトリ構造は図８（ａ）に示すようになり、画像データの格納場所を示すフォルダ（PS_Rollフォルダ）内にフィルム２毎の画像データ（アルバムデータ）や管理データ（index.pvm）などが記録され、APPLフォルダ内に必要に応じてスライドショープログラムやスライドショーの設定ファイルなどが記録され、これらでコンピュータ機器用データが構成される。また、Ｖｉｄｅｏ−ＣＤ形式のデータを生成した場合は図８（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで家電機器用データ（スライドショーデータ）が構成され、ＤＶＤ−Ｖｉｄｅｏ形式のデータを生成した場合は図８（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データ（スライドショーデータ）が構成される。
【００４２】
なお、上記フォルダ構造やフォルダ名称、ファイル名称などは任意であるが、記録構造を認識しやすくするために、図９に示すように、画像データの格納場所を示すフォルダ（PS_Roll）の下位の階層にフィルム毎のデータの格納場所を示すフォルダを設け、該フォルダの名称をバーコード２１で特定される名称、例えば、ROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、各々の画像データのファイル名をCCYYMMDDxxxxxx（CC：データの種別、YYMMDD：書き込み年月日を特定する数字、xxxxxx：シーケンシャル番号）などとして、全てのフィルム２の画像データをまとめてフォルダに格納してもよい。
【００４３】
上記手順で作成された記録媒体４を家電機器などに装填してスライドショーを再生させると、図１１に示すように、画像選択欄１８で選択された複数の画像が、フィルム選択順指示欄１６及び画像選択順指示欄１７で指示された順番（ユーザが撮影日時に基づいてフィルム２や画像１９の選択順を指示した場合には撮影日時順）で表示されるため、スライドショーの見栄えを良くすることができ、利用価値の高い記録媒体４を作成することができる。
【００４４】
また、上記手順で作成された記録媒体４をコンピュータ機器などに装填して複数の画像データに基づく画像を電子アルバムとして表示させると、図１２に示すように、一覧表示画面２２には、画像選択欄１８で選択された複数の画像が、フィルム選択順指示欄１６及び画像選択順指示欄１７で指示された順番で表示されるため、一覧表示画面２２を用いて画像を容易に選択することができ、利用価値の高い記録媒体４を作成することができる。
【００４５】
このように、本実施例の注文シート３に、各々の画像１９を選択するか否かを指示するための画像選択欄１８に加えて、各々のフィルム２の画像群を区分するためのフィルム境界線２０と、フィルム２の選択順を指示するためのフィルム選択順指示欄１６と、画像１９の選択順を指示するための画像選択順指示欄１７とが設けられているため、複数のフィルム２から読み取った複数の画像データに基づく注文を行う場合に、複数の画像データの中から選択された画像データがユーザが指定した適切な順番で選択される利用価値の高い生産物を作成することができる。
【００４６】
なお、上記実施例では、複数のフィルム２から読み取った複数の画像データを利用してスライドショーデータやアルバムデータを作成する場合について記載したが、本発明は上記実施例に限定されるものではなく、複数のフィルム２から読み取った複数の画像データに基づく画像が配列して表示されるプリント（例えば、アルバムプリントやインデックスプリント）を作成する場合など、画像データの選択の順番が関係する任意の生産物を作成する場合について同様に適用することができる。
【００４７】
また、上記実施例では、フィルム２から読み取った画像データのみに基づく注文を行う場合について記載したが、フィルム２から読み取った画像データとデジタルカメラやメディアに記録された画像データとを混在させて注文を行う場合に対しても本実施例の注文シート３を利用することができる。
【産業上の利用可能性】
【００４８】
本発明は、画像データに関する注文を行う際に使用される任意の注文シートに対して適用することができる。
【図面の簡単な説明】
【００４９】
【図１】本発明の一実施例に係る注文システムの構成及び注文の流れを模式的に示す図である。
【図２】本発明の一実施例に係る注文処理装置の構成を示すブロック図である。
【図３】本発明の一実施例に係る注文シートを用いた注文方法の手順を示すフローチャート図である。
【図４】本発明の一実施例に係る注文シートの構成例を示す図である。
【図５】本発明の一実施例に係る記入済み注文シートの構成例を示す図である。
【図６】本発明の一実施例に係る注文シートの他の構成例を示す図である。
【図７】本発明の一実施例に係る注文シートの他の構成例を示す図である。
【図８】本発明の一実施例に係る記録媒体の記録構造を示す図である。
【図９】本発明の一実施例に係る記録媒体の記録構造の他の例を示す図である。
【図１０】記録媒体（ＣＤ−Ｒ）の構造を模式的に示す図である。
【図１１】本発明の一実施例に係る記録媒体を用いて再生されるスライドショーを模式的に示す図である。
【図１２】本発明の一実施例に係る記録媒体を用いて表示される画面例を示す図である。
【図１３】従来の注文シートの構成例を示す図である。
【符号の説明】
【００５０】
１  注文システム
２  フィルム
２ａ  未現像フィルム
２ｂ  現像済みフィルム
３  注文シート
３ａ  記入済み注文シート
４  記録媒体
５  注文処理装置
６  現像手段
７  画像情報読み取り手段
８  注文シート作成手段
９  印刷手段
１０  注文情報読み取り手段
１１  データ生成手段
１２  データ記録手段
１３  記録媒体装填部
１４  表示手段
１５  操作手段
１６  フィルム選択順指示欄
１７  画像選択順指示欄
１８  画像選択欄
１９  画像
２０  フィルム境界線
２１  バーコード
２２  一覧表示画面
２３  注文シート
１００  ポリカーボネート基板
１０１  有機色素層
１０２  反射層
１０３  保護層
【図１】
2007152714.tif 000003
【図２】
2007152714.tif 000004
【図３】
2007152714.tif 000005
【図４】
2007152714.tif 000006
【図５】
2007152714.tif 000007
【図６】
2007152714.tif 000008
【図７】
2007152714.tif 000009
【図８】
2007152714.tif 000010
【図９】
2007152714.tif 000011
【図１０】
2007152714.tif 000012
【図１１】
2007152714.tif 000013
【図１２】
2007152714.tif 000014
【図１３】
2007152714.tif 000015